(57)【要約】【課題】楽曲をミキシングする際の違和感の発生を防止する。【解決手段】音響機器（１００）は、２の楽曲のいずれか一方の楽曲の中高周波数帯域の音データを抽出するフィルタ手段（２４４）と、ミキシング期間において、一方の楽曲の中高周波数帯域の音データと、他方の楽曲の音データとを混合ミキシング手段（２４２，２４３）と、ミキシング手段で混合された音データを出力する出力手段（２４１）とを備える。【選択図】図４
2014202892.tif 000002
【特許請求の範囲】
【請求項１】
２の楽曲のいずれか一方の楽曲の中高周波数帯域の音データを抽出するフィルタ手段と、
ミキシング期間において、前記一方の楽曲の前記中高周波数帯域の音データと、他方の楽曲の音データとを混合するミキシング手段と、
前記ミキシング手段で混合された音データを出力する出力手段と
を備えることを特徴とする音響機器。
【請求項２】
前記フィルタ手段は、前記２の楽曲について、前記中高周波数帯域の音データ及び前記中高周波数帯域より低い帯域である低周波数帯域の音データを夫々抽出し、
前記ミキシング手段は、前記ミキシング期間において、前記２の楽曲の前記中高周波数帯域の音データを混合すると共に、前記２の楽曲の前記低周波数帯域の音データを再生時間軸上で連結させる
ことを特徴とする請求項１に記載の音響機器。
【請求項３】
前記ミキシング手段は、前記中高周波数帯域の音データをクロスフェードにより混合すると共に、前記低周波数帯域の音データを連結させることを特徴とする請求項２に記載の音響機器。
【請求項４】
２の楽曲のいずれか一方の楽曲の中高周波数帯域の音データを抽出するフィルタ工程と、
ミキシング期間において、前記一方の楽曲の前記中高周波数帯域の音データと、他方の楽曲の音データとを混合するミキシング工程と、
前記ミキシング工程で混合された音データを出力する出力工程と
を備えることを特徴とする音響機器の制御方法。
【請求項５】
コンピュータを、
２の楽曲のいずれか一方の楽曲の中高周波数帯域の音データを抽出するフィルタ手段と、
ミキシング期間において、前記一方の楽曲の前記中高周波数帯域の音データと、他方の楽曲の音データとを混合するミキシング手段と、
前記ミキシング手段で混合された音データを出力する出力手段
として機能させることを特徴とするプログラム。
【発明の詳細な説明】
【技術分野】
【０００１】
本発明は、２の楽曲をミキシング処理して自動連続再生する音響機器及び音響機器の制御方法、並びにプログラムの技術分野に関する。
【背景技術】
【０００２】
この種の装置として、例えば複数の楽曲をノンストップで連続再生するために、クロスフェード等のエフェクトを用いてミキシングするという装置が知られている。このような装置では、より自然なミキシングを実現するために、前後の曲で拍位置やテンポを合わせてミキシングを実行するという技術が提案されている（例えば、特許文献１参照）。
【先行技術文献】
【特許文献】
【０００３】
【特許文献１】特開２００３−１０８１３２号公報
【発明の概要】
【発明が解決しようとする課題】
【０００４】
しかしながら、上述した技術を利用したとしても、例えば拍位置の検出精度によっては、実際の拍位置からずれてミキシングされてしまうおそれがあり、完全に拍位置が重なった状態でミキシングを実行することは実践上困難である。即ち、拍位置を調整するだけでは、聴き手に違和感を与えてしまうおそれがあるという技術的問題点が生ずる。特に、リズムを刻む低周波数帯域の音声については、僅かにずれるだけでも違和感を生じさせるおそれがあるため、自然なミキシングが極めて困難である
本発明は、例えば上述した問題点に鑑みなされたものであり、楽曲をミキシングする際の違和感の発生を防止することが可能な音響機器及び音響機器の制御方法、並びにプログラムを提供することを課題とする。
【課題を解決するための手段】
【０００５】
本発明の音響機器は上記課題を解決するために、２の楽曲のいずれか一方の楽曲の中高周波数帯域の音データを抽出するフィルタ手段と、ミキシング期間において、前記一方の楽曲の前記中高周波数帯域の音データと、他方の楽曲の音データとを混合するミキシング手段と、前記ミキシング手段で混合された音データを出力する出力手段とを備える。
【０００６】
本発明の音響機器の制御方法は上記課題を解決するために、２の楽曲のいずれか一方の楽曲の中高周波数帯域の音データを抽出するフィルタ工程と、ミキシング期間において、前記一方の楽曲の前記中高周波数帯域の音データと、他方の楽曲の音データとを混合するミキシング工程と、前記ミキシング工程で混合された音データを出力する出力工程とを備える。
【０００７】
本発明のプログラムは上記課題を解決するために、コンピュータを、２の楽曲のいずれか一方の楽曲の中高周波数帯域の音データを抽出するフィルタ手段と、ミキシング期間において、前記一方の楽曲の前記中高周波数帯域の音データと、他方の楽曲の音データとを混合するミキシング手段と、前記ミキシング手段で混合された音データを出力する出力手段として機能させる。
【０００８】
本発明の作用及び利得は次に説明する発明を実施するための形態から明らかにされる。
【図面の簡単な説明】
【０００９】
【図１】実施例に係る音響機器のハード構成を示すブロック図である。
【図２】実施例に係る音響機器のソフト構成を示す機能ブロック図である。
【図３】第１実施例に係る音響機器の動作を示すフローチャートである。
【図４】第１実施例に係る音響機器によるミキシング処理を示す概念図である。
【図５】第２実施例に係る音響機器の動作を示すフローチャートである。
【図６】第２実施例に係る音響機器によるミキシング処理を示す概念図である。
【発明を実施するための形態】
【００１０】
本実施形態に係る音響機器は、２の楽曲のいずれか一方の楽曲の中高周波数帯域の音データを抽出するフィルタ手段と、ミキシング期間において、前記一方の楽曲の前記中高周波数帯域の音データと、他方の楽曲の音データとを混合するミキシング手段と、前記ミキシング手段で混合された音データを出力する出力手段とを備える。
【００１１】
本実施形態に係る音響機器は、例えば楽曲再生能力を有するＣＰＵ（Central Processing Unit）、及びＲＯＭ（Read Only Memory）やＲＡＭ（Random Access Memory）、各種処理回路等を含んで構成される。また、再生する楽曲データや楽曲情報を保存するための大容量ストレージ等を備えて構成されてもよい。
【００１２】
本実施形態に係る音響機器の動作時には、２の楽曲がミキシング期間においてミキシング処理され、自動連続再生される。なお、ここでの「ミキシング期間」とは、ミキシング処理を実行すべき期間として設定される期間であり、例えばミキシングされる２の楽曲の共通部分や類似部分に対応する期間として設定される。また、ミキシング期間の長さについては、ユーザによる設定が可能とされてもよい。
【００１３】
ここで本実施形態では特に、ミキシングされる２の楽曲のいずれか一方の楽曲について、フィルタ手段により中高周波数帯域の音データが抽出される。なお、ここでの「中高周波数帯域」とは、楽曲のリズムを刻む音データが含まれる低周波数帯域よりも高い周波数帯域として予め設定される帯域であり、例えばバスドラム等に対応する周波数帯域（例えば、１００Ｈｚ〜２００Ｈｚ）よりも高い周波数帯域（例えば、２００Ｈｚより高い周波数帯域）として設定される。言い換えれば、中高周波数帯域とは、リズムを刻む音データが含まれない周波数帯域であり、抽出される中高周波数帯域の音データは、元の音データからリズム音がカットされた音データとなる。上述した中高周波数帯域の音データの抽出は、一方の楽曲の全部分について実行されず、部分的に（例えばミキシング期間に対応する部分（即ち、ミキシングされる部分）においてのみ）実行されてもよい。
【００１４】
抽出された一方の楽曲の中高周波数帯域の音データは、ミキシング手段により、他方の楽曲の音データと混合される。この結果、出力手段から出力される混合後の音データには、２の楽曲の中高周波数帯域の音データが夫々含まれる一方で、中高周波数帯域より低い低周波数帯域の音データについては他方の楽曲のものだけが含まれることになる。
【００１５】
ここで、２の楽曲を混合して出力する場合、ミキシング期間において楽曲同士の拍位置のずれが生ずることで、聴き手に違和感を与えてしまうことがある。このような拍位置のずれは、例えば事前に拍位置を検出しておくことで調整することもできるが、完全にずれをなくすことは実践上困難である。そして特に、リズムを刻む低周波数帯域の音データの拍位置のずれは、僅かなずれであっても聴き手に対して大きな違和感を与えてしまうおそれがある。
【００１６】
しかるに本実施形態では特に、上述したように、一方の楽曲の中高周波数帯域と他方の楽曲とが混合される。即ち、ミキシング期間において混合される音データは、２の楽曲の低周波数帯域の音データを夫々含むものとはならず、他方の楽曲の低周波数帯域だけを含むものとされる。従って、２の楽曲の低周波数帯域の音データの拍位置がずれて合成されることによる違和感の発生を好適に防止することができる。
【００１７】
本実施形態に係る音響機器の一態様では、前記フィルタ手段は、前記２の楽曲について、前記中高周波数帯域の音データ及び前記中高周波数帯域より低い帯域である低周波数帯域の音データを夫々抽出し、前記ミキシング手段は、前記ミキシング期間において、前記２の楽曲の前記中高周波数帯域の音データを混合すると共に、前記２の楽曲の前記低周波数帯域の音データを再生時間軸上で連結させる。
【００１８】
この態様によれば、フィルタ手段では、中高周波数帯域の音データに加えて、低周波数帯域の音データが抽出される。また、抽出対象についても、一方の楽曲のみでなく２の楽曲とされる。よって、フィルタ手段では、一方の楽曲の中高周波数帯域の音データ及び低周波数帯域の音データ、並びに他方の楽曲の中高周波数帯域の音データ及び低周波数帯域の音データが夫々抽出される。
【００１９】
そして本態様では特に、ミキシング手段により、２の楽曲の中高周波数帯域の音データが混合される。即ち、２の楽曲の中高周波数帯域の音データは、ミキシング期間において少なくとも部分的に重畳するように処理される。一方で、２の楽曲の低周波数帯域の音データは、ミキシング手段により、再生時間軸上で互いに連結される。即ち、上述した中高周波数帯域とは異なり、重畳部分が存在しないように結合される。なお、連結位置は、典型的にはミキシング期間の開始位置や終了位置とされるが、ミキシング期間内であれば特に限定されない。
【００２０】
このようなミキシング処理によれば、中高周波数帯域の音データの混合により、自然な楽曲の切り替わりを演出できる。加えて、低周波数帯域の音データの連結により、２の楽曲の低周波数帯域の音データが合成される際の違和感の発生を防止できる。即ち、リズムを刻む低周波数帯域の音データの拍位置がずれた状態で合成されてしまい、聴き手に違和感を与えてしまうことを防止できる。
【００２１】
なお、連結位置において低周波数帯域の音データの拍位置が互いに揃うようにすれば、より効果的に違和感の発生を防止できる。また、連結位置をミキシング期間の開始位置や終了位置に合わせることで、連結時の楽曲の切り替わりを気づき難くすることができる。
【００２２】
上述した中高周波数帯域及び低周波数体域の音データをミキシングする態様では、前記ミキシング手段は、前記中高周波数帯域の音データをクロスフェードにより混合すると共に、前記低周波数帯域の音データを連結させてもよい。
【００２３】
この場合、２の楽曲の中高周波数帯域の音データはクロスフェードにより混合される。即ち、ミキシング期間においては、先に再生される曲の音量が徐々に小さくなるようフェードアウトされ、それと同時に、次に再生される曲の音量が徐々に大きくなるようフェードインされる。これにより、更に好適に楽曲の自然な切替えを実現できる。
【００２４】
一方、２の楽曲の低周波数帯域の音データは、連結される。即ち、低周波数帯域の音データは、中高周波数帯域のようにクロスフェードによって混合されず、重畳部分が存在しないように結合される。よって、２の楽曲の低周波数帯域の音データが合成される際の違和感の発生を防止できる。
【００２５】
なお、低周波数帯域の音データは、フェード（減衰）せずに連結されることが好ましい。即ち、音量に対する処理が行われずに連結されることが好ましい。このように連結すれば、重畳部分が存在しない故に、音量の変化が合成後の音データに大きく影響を与えてしまうという不都合の発生を防止できる。具体的には、中高周波数帯域のクロスフェードのように、フェードアウトされる楽曲の音量の低下をフェードインされる楽曲の音量でカバーすることができないため、音量の変化がユーザに違和感を与え易いという問題を回避できる。
【００２６】
本実施形態に係る音響機器の作用及び他の利得については、以下に示す実施例において、より詳細に説明する。
【００２７】
本実施形態に係る音響機器の制御方法は、２の楽曲のいずれか一方の楽曲の中高周波数帯域の音データを抽出するフィルタ工程と、ミキシング期間において、前記一方の楽曲の前記中高周波数帯域の音データと、他方の楽曲の音データとを混合するミキシング工程と、前記ミキシング工程で混合された音データを出力する出力工程とを備える。
【００２８】
本実施形態に係る音響機器の制御方法によれば、上述した音響機器と同様に、２の楽曲の低周波数帯域の音データの拍位置がずれて合成されることによる違和感の発生を好適に防止することができる。
【００２９】
なお、本実施形態に係る音響機器の制御方法においても、上述した音響機器の各種態様と同様の態様を採ることができる。
【００３０】
本実施形態に係るプログラムは、コンピュータを、２の楽曲のいずれか一方の楽曲の中高周波数帯域の音データを抽出するフィルタ手段と、ミキシング期間において、前記一方の楽曲の前記中高周波数帯域の音データと、他方の楽曲の音データとを混合するミキシング手段と、前記ミキシング手段で混合された音データを出力する出力手段として機能させる。
【００３１】
本実施形態に係るプログラムによれば、上述した音響機器と同様に、２の楽曲の低周波数帯域の音データの拍位置がずれて合成されることによる違和感の発生を好適に防止することができる。
【００３２】
なお、本実施形態に係るプログラムにおいても、上述した音響機器の各種態様と同様の態様を採ることができる。
【実施例】
【００３３】
以下では、図面を参照して本発明の実施例について詳細に説明する。
【００３４】
＜装置構成＞
先ず、本実施例に係る音響機器のハード構成について、図１を参照して説明する。ここに図１は、実施例に係る音響機器のハード構成を示すブロック図である。
【００３５】
図１において、本実施例に係る音響機器１００は、楽曲データ及び映像データを再生可能な装置として構成されており、大容量ストレージ１１０、ＣＰＵ１２０、画像処理回路１３０、ＬＣＤ（Liquid Crystal Monitor）１４０、ＲＯＭ１５０、ＲＡＭ１６０、サウンド処理回路１７０及びスピーカ１８０を備えて構成されている。
【００３６】
大容量ストレージ１１０は、例えばハードディスク等の記録媒体を含んで構成されており、音響機器１００において再生する楽曲データ及び映像データ等を記憶している。
【００３７】
ＣＰＵ１２０は、音響機器１００全体の動作を制御可能なコントローラユニットとして構成されている。
【００３８】
画像処理回路１３０は、映像データを再生するための各種処理を実行可能に構成されており、処理した映像データをＬＣＤ１４０に出力する。ＬＣＤ１４０は、画像処理回路１３０から入力された映像データに応じた映像を表示可能なディスプレイとして構成されている。
【００３９】
ＲＯＭ１５０及びＲＡＭ１６０は、音響機器１００において扱う各種情報を適宜記憶可能に構成された記録媒体であり、記憶した情報を必要に応じて各種部位に出力する。
【００４０】
サウンド処理回路１７０は、楽曲データを再生するための各種処理を実行可能に構成されており、処理した楽曲データをスピーカ１８０に出力する。スピーカ１８０は、サウンド処理回路１７０から入力された楽曲データに応じた音声を出力可能に構成されている。
【００４１】
次に、本実施例に係る音響機器のソフト構成について、図２を参照して説明する。ここに図２は、実施例に係る音響機器のソフト構成を示す機能ブロック図である。
【００４２】
図２において、本実施例に係る音響機器１００は、楽曲データ記憶部２１０、楽曲情報抽出部２２０、楽曲情報記憶部２３０及び再生制御部２４０を備えている。
【００４３】
楽曲データ記憶部２１０は、例えば上述した大容量ストレージ１１０として構成され、楽曲データを楽曲情報抽出部２２０及び再生制御部２４０に出力可能とされている。
【００４４】
楽曲情報抽出部２２０は、楽曲のメタデータ（例えば、再生の長さ等）を抽出する楽曲メタデータ抽出部２２１、楽曲の小節及び拍位置を検出する楽曲小節・拍位置検出部２２２、及び楽曲のテンポを検出する楽曲テンポ検出部２２３を備えている。楽曲情報抽出部２２０は、楽曲データ記憶部２１０に記憶されている楽曲データのタグ情報や楽曲解析処理の結果等から楽曲に関する各種データを抽出し、楽曲情報記憶部２３０へ出力可能とされている。
【００４５】
楽曲情報記憶部２３０は、楽曲のメタデータを記憶する楽曲メタデータ記憶部２３１、楽曲の小節及び拍位置を記憶する楽曲小節・拍位置記憶部２３２、及び楽曲のテンポを記憶する楽曲テンポ記憶部２３３を備えている。楽曲情報記憶部２３０は、楽曲情報抽出部２２０で抽出された楽曲に関する各種情報を記憶し、適宜再生制御部２４０に出力可能とされている。
【００４６】
再生制御部２４０は、再生部２４１、再生テンポ制御部２４２、ミキシング処理部２４３及びエフェクト制御部２４４を備えている。再生部２４１は、再生リスト及び再生時間情報を基に楽曲を再生する。再生テンポ制御部２４２は、必要に応じて、再生テンポの制御を行いながら楽曲を再生する。また、再生楽曲が切り替わる部分では、音楽が途切れることのないように、前曲及び次曲を部分的にミキシングさせながら再生する。ミキシング処理部２４３は、必要に応じて、前曲及び次曲のテンポ、並びに小節・拍位置が互いに揃うように制御を行う。エフェクト制御部２４４は、ミックス区間におけるクロスフェード、ローパスフィルタ、ハイパスフィルタ等のエフェクト処理を行う。
【００４７】
＜動作説明＞
次に、本実施例に係る音響機器の動作について、複数の実施例を挙げて説明する。なお、以下では、本実施例に係る音響機器の動作のうち、本発明と関連の深いミキシング処理について詳細に説明し、他の一般的な動作については適宜説明を省略するものとする。
【００４８】
＜第１実施例＞
先ず、第１実施例に係る音響機器の動作について、図３を参照して説明する。ここに図３は、第１実施例に係る音響機器の動作を示すフローチャートである。なお、以下では、ミキシング処理が実行される２の楽曲のうち、先に再生される楽曲を「前曲」、後に再生される楽曲を「次曲」と称して説明を進める。
【００４９】
図３において、本実施例に係る音響機器１００の動作時には、先ず前曲の音声データが取得され（ステップＳ１０１）、現在の再生位置が次曲とのミックス区間内であるか否かが判定される（ステップＳ１０２）。なお、ここでのミックス区間とは、本発明の「ミキシング期間」に対応する区間であり、前曲と次曲とが互いにミックスされる（即ち、ミキシング処理される）区間である。再生位置がミックス区間でない場合には（ステップＳ１０２：ＮＯ）、ミキシング処理を実行せずに、前曲の音声が出力される（ステップＳ１１０）。
【００５０】
再生位置がミックス区間である場合（ステップＳ１０２：ＹＥＳ）、エフェクト制御部２４４（図２参照）により、前曲の音声データの低周波数帯域成分がカットされる（ステップＳ１０３）。なお、ここでの低周波数帯域は、リズムを刻むバスドラムに対応する周波数帯域（例えば、１００Ｈｚ〜２００Ｈｚ）に設定されている。このため、低周波数帯域成分をカットした音声データは、中高周波数帯域（例えば、２００Ｈｚ以上）成分のみの音声データとなる。即ち、ここでの処理は、中高周波数帯域成分の抽出と言い換えることもできる。
【００５１】
続いて、ミックス区間内の相対位置に応じて前曲の音声データの出力レベルが調整される（ステップＳ１０４）。具体的には、前曲及び次曲がクロスフェードによりミックスされるように、ミックス区間内の相対位置が後になるほど、前曲の音声データの出力レベルが小さくされる。なお、上述したように、前曲の音声データは低周波数帯域成分がカットされているため、出力レベルが調整されるのは前曲の中高周波数帯域成分の音声データである。
【００５２】
他方で、前曲の再生位置がミックス区間内である場合には、次曲の音声データも取得される（ステップＳ１０５）。そして、次曲についてもミックス区間内の相対位置に応じて音声データの出力レベルが調整される（ステップＳ１０６）。具体的には、前曲及び次曲がクロスフェードによりミックスされるように、ミックス区間内の相対位置が後になるほど、次曲の音声データの出力レベルが大きくされる。ただし、次曲については、前曲のように低周波数帯域成分がカットされていないため、全ての周波数帯域について出力レベルが調整される。
【００５３】
前曲及び次曲の出力レベルが調整されると、前曲及び次曲の音声データが互いにミックスされる（ステップＳ１０７）。即ち、前曲の音声データと次曲の音声データとが重畳されて１つの音声データとされる。ミックスされた音声データは、スピーカ１８０（図１参照）に出力される（ステップＳ１０８）。音声データの出力後は、再生位置が更新され（ステップＳ１０９）、ミキシング処理に係る一連の処理が終了する。なお、これら一連の処理は繰り返し実行され、各再生位置についてミキシング処理が順次実行されることになる。
【００５４】
次に、上述した本実施例に係るミキシング処理によって出力される音声データについて、図４を参照して具体的に説明する。ここに図４は、第１実施例に係る音響機器によるミキシング処理を示す概念図である。
【００５５】
図４に示すように、上述したミキシング処理によって出力される音声データは、ミックス区間における前曲の低周波数帯域成分がカットされている。このためミックスされた音声データには、低周波数帯域成分が次曲のものしか含まれていない。
【００５６】
ここで、２の楽曲をミックスして出力する場合、ミックス区間において楽曲同士の拍位置のずれが生ずることで、聴き手に違和感を与えてしまうことがある。このような拍位置のずれは、例えば事前に拍位置を検出しておくことで調整することもできるが、完全にずれをなくすことは実践上困難である。そして特に、リズムを刻む低周波数帯域の音データの拍位置のずれは、僅かなずれであっても聴き手に対して大きな違和感を与えてしまうおそれがある。
【００５７】
これに対し本実施例では、前曲の中高周波数帯域成分と他方の楽曲の全周波数帯域成分とが互いにミックスされる。従って、２の楽曲の低周波数帯域の音データの拍位置が互いにずれてミックスされることによる違和感の発生を好適に防止することができる。
【００５８】
なお、前曲の低周波数帯域成分のカットに代えて、次曲の低周波数帯域成分のカットを実行するようにしてもよい。即ち、ミックスされる２の楽曲のいずれか一方の低周波数帯域成分をカットすれば、上述した効果は発揮される。
【００５９】
以上説明したように、第１実施例に係る音響機器１００によれば、楽曲をミキシングする際の違和感の発生を防止することが可能である。
【００６０】
＜第２実施例＞
次に、第２実施例に係る音響機器の動作について、図５を参照して説明する。ここに図５は、第２実施例に係る音響機器の動作を示すフローチャートである。
【００６１】
なお、第２実施例は、上述した第２実施例と比べて一部の動作が異なるのみであり、他の部分については概ね同様である。このため、以下では第１実施例と異なる部分について詳細に説明し、他の重複する部分については、適宜説明を省略するものとする。
【００６２】
図５において、第２実施例に係る音響機器１００の動作時には、先ず前曲の音声データが取得され（ステップＳ２０１）、現在の再生位置が次曲とのミックス区間内であるか否かが判定される（ステップＳ２０２）。そして、再生位置がミックス区間でない場合には（ステップＳ２０２：ＮＯ）、ミキシング処理を実行せずに、前曲の音声が出力される（ステップＳ２１１）。一方、再生位置がミックス区間である場合（ステップＳ２０２：ＹＥＳ）、前曲の音声データの低周波数帯域成分がカットされ（ステップＳ２０３）、ミックス区間内の相対位置に応じて前曲の音声データの出力レベルが調整される（ステップＳ２０４）。
【００６３】
他方で、前曲の再生位置がミックス区間内である場合には、次曲の音声データも取得される（ステップＳ２０５）。ここで第２実施例では特に、取得した次曲の音声データについて、低周波数帯域成分及びそれ以外の成分（即ち、中高周波数帯域成分）が夫々抽出される（ステップＳ２０６）。言い換えれば、次曲の音声データが、低周波数帯域成分と中高周波数帯域成分とに分割される。
【００６４】
そして、次曲についてもミックス区間内の相対位置に応じて音声データの出力レベルが調整される（ステップＳ２０７）。ただし、ここでの出力レベルの調整は、次曲の中高周波数帯域成分に対してのみ実行される。即ち、次曲の低周波数帯域成分の出力レベルは調整されない。
【００６５】
前曲及び次曲の出力レベルが調整されると、前曲及び次曲の音声データが互いにミックスされる（ステップＳ２０８）。即ち、前曲の音声データと次曲の音声データとが重畳されて１つの音声データとされる。ここで特に、前曲及び次曲の中高周波数帯域成分がクロスフェードによりミックスされる一方で、前曲及び次曲の低周波数帯域成分は再生時間軸上で連結される。即ち、低周波数帯域成分は、重畳部分が存在しないように結合される。
【００６６】
ミックスされた音声データは、スピーカ１８０に出力される（ステップＳ２０９）。音声データの出力後は、再生位置が更新され（ステップＳ２１０）、ミキシング処理に係る一連の処理が終了する。
【００６７】
次に、上述した第２実施例に係るミキシング処理によって出力される音声データについて、図６を参照して具体的に説明する。ここに図６は、第２実施例に係る音響機器によるミキシング処理を示す概念図である。
【００６８】
図６に示すように、上述したミキシング処理によれば、前曲及び次曲の中高周波数帯域成分がクロスフェードによりミックスされる。一方で、前曲の低周波数帯域成分はミックス区間の開始位置でカットされる。また、次曲の低周波数帯域成分は、出力レベルが調整されないままミックス区間の開始位置から再生される。このため、ミックス後の音声データでは、前曲及び次曲の低周波数帯域成分がミックス区間の開始位置で切り替わる。
【００６９】
このようにすれば、２の楽曲の低周波数帯域の音声データの拍位置がずれてミックスされることによる違和感の発生を好適に防止することができると共に、低周波数帯域の音データを途切れることなく再生できる。即ち、第１実施例のように、前曲の低周波数帯域成分のカットに起因して、ミックス区間の開始位置付近において一時的に低周波数帯域の音声が途切れてしまうことを防止できる。ただし、第２実施例では、低周波数帯域成分及び中高周波数帯域成分を別々に処理するため、第１実施例と比べてソフトウェアの計算量が増大してしまう。言い換えれば、第１実施例は、第２実施例と比べてミキシング処理による装置への負担を軽減することができる。
【００７０】
なお、上述の第２実施例では、ミックス区間の開始位置で前曲及び次曲の低周波数帯域成分を連結する場合について説明したが、連結位置はミックス区間の終了位置とされてもよい。この場合、次曲の低周波数帯域成分がミックス区間終了位置までカットされ、前曲の低周波数帯域成分がミックス区間の終了位置まで出力される。
【００７１】
以上説明したように、第２実施例に係る音響機器１００によれば、楽曲の低域周波数帯域成分と中高周波数帯域成分とを互いに異なる方法でミックスさせることにより、違和感の発生を効果的に防止することが可能である。
【００７２】
本発明は、上述した実施形態に限られるものではなく、特許請求の範囲及び明細書全体から読み取れる発明の要旨或いは思想に反しない範囲で適宜変更可能であり、そのような変更を伴う音響機器及び音響機器の制御方法、並びにプログラムもまた本発明の技術的範囲に含まれるものである。
【符号の説明】
【００７３】
１００  音響機器
１１０  大容量ストレージ
１２０  ＣＰＵ
１３０  画像処理回路
１４０  ＬＣＤ
１５０  ＲＯＭ
１６０  ＲＡＭ
１７０  サウンド処理回路
１８０  スピーカ
２１０  楽曲データ記憶部
２２０  楽曲情報抽出部
２２１  楽曲メタデータ抽出部
２２２  楽曲小節・拍位置検出部
２２３  楽曲テンポ検出部
２３０  楽曲情報記憶部
２３１  楽曲メタデータ記憶部
２３２  楽曲小節・拍位置記憶部
２３３  楽曲テンポ記憶部
２４０  再生制御部
２４１  再生部
２４２  再生テンポ制御部
２４３  ミキシング処理部
２４４  エフェクト制御部
【図１】
2014202892.tif 000003
【図２】
2014202892.tif 000004
【図３】
2014202892.tif 000005
【図４】
2014202892.tif 000006
【図５】
2014202892.tif 000007
【図６】
2014202892.tif 000008